(57)【要約】【課題】枠を簡単でスムーズに柄部へ収納できるたも網を提供することである。【解決手段】環状の枠３を先端がヒンジ４で折り畳み可能に結合された一対のばね条部材３ａで形成し、これらのばね条部材３ａの基端を、筒状の柄部１の先端側から挿入して、柄部１の内側で軸方向へ移動可能に配設された枠連結部材５に連結し、枠連結部材５を柄部１の基端側へ移動させることにより、一対のばね条部材３ａで形成された枠３が先端で折り畳まれるようにして柄部１へ収納されるようにし、枠連結部材５を柄部１の基端側へ移動させるのみで、枠３を簡単でスムーズに柄部１へ収納できるようにした。【選択図】図２
2007061043.tif 000002
【特許請求の範囲】
【請求項１】
網が取り付けられた環状の枠を筒状の柄部の先端から柄部へ収納するたも網において、前記環状の枠を先端がヒンジで折り畳み可能に結合された一対のばね条部材で形成し、これらのばね条部材の基端を、前記筒状の柄部の先端側から挿入して、柄部の内側で軸方向へ移動可能に配設された枠連結部材に連結し、この枠連結部材を前記柄部の基端側へ移動させることにより、前記一対のばね条部材で形成された枠が先端で折り畳まれるようにして、前記柄部へ収納されるようにしたことを特徴とするたも網。
【請求項２】
前記網を前記枠の周方向に移動可能な複数のリングを介して枠に取り付けた請求項１に記載のたも網。
【請求項３】
前記ばね条部材の基端側での前記網の枠への取り付け部を、前記柄部の先端部に係止した請求項２に記載のたも網。
【請求項４】
前記枠連結部材を前記柄部の先端側へ押し付勢する押し付勢手段と、この押し付勢された枠連結部材を前記枠が柄部に収納される位置に係止する手段とを設けた請求項１乃至３のいずれかに記載のたも網。
【請求項５】
前記一対のばね条部材の先端を折り畳み可能に結合するヒンジを、折り畳まれたばね条部材を押し拡げるように付勢するものとした請求項１乃至４のいずれかに記載のたも網。
【請求項６】
前記枠連結部材の押し付勢手段を、前記枠の少なくとも半分が前記柄部の先端から突出する位置まで枠連結部材を押し付勢するものとした請求項５に記載のたも網。
【発明の詳細な説明】
【技術分野】
【０００１】
本発明は、網が取り付けられた枠を柄部へ収納するたも網に関する。
【背景技術】
【０００２】
網が取り付けられた環状の枠が柄部の先端に設けられたたも網には、持ち運びに便利なように、環状の枠を折り畳み可能としたものが市販されている。この市販のたも網は、枠はコンパクトに折り畳むことができるが、折り畳まれた枠が柄部の先端に長く突出するので、たも網の全長が長くなる問題がある。
【０００３】
この問題に対して、環状の枠を筒状の柄部の先端から柄部へ収納するようにしたたも網が提案されている（例えば、特許文献１参照。）。特許文献１に記載されたものでは、環状の枠を２分割した一対のばね条部材で形成し、この一対のばね条部材の先端と基端を折り畳み可能にヒンジで結合して、２本の棒状に折り畳んだ枠を柄部へ収納するようにしている。また、網も棒状に折り畳んだ枠に螺旋状に巻き付けて、枠と一緒に柄部に収納するようにしている。
【０００４】
【特許文献１】特開２０００−２７０７１５号公報
【発明の開示】
【発明が解決しようとする課題】
【０００５】
特許文献１に記載されたたも網は、環状の枠を形成する一対のばね条部材の先端と基端をヒンジで結合しているので、使用後に枠を筒状の柄部へ収納する前に、これらのヒンジ結合部で枠を２本の棒状に折り畳む必要があり、枠の収納に手間がかかる問題がある。また、たも網を使用する際も、折り畳まれた枠を一旦柄部から取り出したのち、環状に拡げる必要がある。さらに、枠を柄部に収納する際に、基端のヒンジ結合部が柄部の先端入口に引っ掛かりやすく、スムーズな枠の収納が阻害される問題もある。
【０００６】
そこで、本発明の課題は、枠を簡単でスムーズに柄部へ収納できるたも網を提供することである。
【課題を解決するための手段】
【０００７】
上記の課題を解決するために、本発明は、網が取り付けられた環状の枠を筒状の柄部の先端から柄部へ収納するたも網において、前記環状の枠を先端がヒンジで折り畳み可能に結合された一対のばね条部材で形成し、これらのばね条部材の基端を、前記筒状の柄部の先端側から挿入して、柄部の内側で軸方向へ移動可能に配設された枠連結部材に連結し、この枠連結部材を前記柄部の基端側へ移動させることにより、前記一対のばね条部材で形成された枠が先端で折り畳まれるようにして、前記柄部へ収納される構成を採用した。
【０００８】
すなわち、環状の枠を先端がヒンジで折り畳み可能に結合された一対のばね条部材で形成し、これらのばね条部材の基端を、筒状の柄部の先端側から挿入して、柄部の内側で軸方向へ移動可能に配設された枠連結部材に連結し、この枠連結部材を柄部の基端側へ移動させることにより、一対のばね条部材で形成された枠が先端で折り畳まれるようにして柄部に収納されるようにし、枠連結部材を柄部の基端側へ移動させるのみで、枠を簡単でスムーズに柄部へ収納できるようにした。
【０００９】
前記網を前記枠の周方向に移動可能な複数のリングを介して枠に取り付けることにより、枠を柄部に収納する際に、網を枠の先端側へ簡単に寄せ集め、網を損傷することなく、枠のみをスムーズに収納することができる。
【００１０】
前記ばね条部材の基端側での前記網の枠への取り付け部を、前記柄部の先端部に係止することにより、枠を柄部に収納したときに枠の先端側へ寄せ集められた網を、枠が取り出されて環状に拡がるときに、枠の全周に自然に拡げることができる。
【００１１】
前記枠連結部材を前記柄部の先端側へ押し付勢する押し付勢手段と、この押し付勢された枠連結部材を前記枠が柄部に収納される位置に係止する手段とを設けることにより、枠を安定して柄部へ収納し、収納した枠を柄部から容易に取り出すことができる。
【００１２】
前記一対のばね条部材の先端を折り畳み可能に結合するヒンジを、折り畳まれたばね条部材を押し拡げるように付勢するものとすることにより、柄部から取り出された枠が自然に環状に拡がるようにすることができる。
【００１３】
前記枠連結部材の押し付勢手段を、前記枠の少なくとも半分が前記柄部の先端から突出する位置まで枠連結部材を押し付勢するものとすることにより、枠収納位置での枠連結部材の係止を外すのみで、押し付勢手段によって枠の少なくとも半分を柄部の先端から突出させ、さらに、ばねヒンジの押し拡げ力と枠を形成する各ばね条部材の弾性力によって、枠が環状に拡がるように残りの部分が自然に柄部の先端から突出するようにし、ワンタッチで枠を柄部から取り出して環状に拡げることができる。
【発明の効果】
【００１４】
本発明のたも網は、環状の枠を先端がヒンジで折り畳み可能に結合された一対のばね条部材で形成し、これらのばね条部材の基端を、筒状の柄部の先端側から挿入して、柄部の内側で軸方向へ移動可能に配設された枠連結部材に連結し、この枠連結部材を柄部の基端側へ移動させることにより、一対のばね条部材で形成された枠が先端で折り畳まれるようにして柄部に収納されるようにしたので、枠連結部材を柄部の基端側へ移動させるのみで、枠を簡単でスムーズに柄部へ収納することができる。
【００１５】
前記網を枠の周方向に移動可能な複数のリングを介して枠に取り付けることにより、枠を柄部に収納する際に、網を枠の先端側へ簡単に寄せ集め、網を損傷することなく、枠のみをスムーズに収納することができる。
【００１６】
前記ばね条部材の基端側での網の枠への取り付け部を、柄部の先端部に係止することにより、枠を柄部に収納したときに枠の先端側へ寄せ集められた網を、枠が取り出されて環状に拡がるときに、枠の全周に自然に拡げることができる。
【００１７】
前記枠連結部材を前記柄部の先端側へ押し付勢する押し付勢手段と、この押し付勢された枠連結部材を前記枠が柄部に収納される位置に係止する手段とを設けることにより、枠を安定して柄部へ収納し、収納した枠を柄部から容易に取り出すことができる。
【００１８】
前記一対のばね条部材の先端を折り畳み可能に結合するヒンジを、折り畳まれたばね条部材を押し拡げるように付勢するものとすることにより、柄部から取り出された枠が自然に環状に拡がるようにすることができる。
【００１９】
前記枠連結部材の押し付勢手段を、前記枠の少なくとも半分が前記柄部の先端から突出する位置まで枠連結部材を押し付勢するものとすることにより、枠収納位置での枠連結部材の係止を外すのみで、押し付勢手段によって枠の少なくとも半分を柄部の先端から突出させ、さらに、ばねヒンジの押し拡げ力と枠を形成する各ばね条部材の弾性力によって、枠が環状に拡がるように残りの部分が自然に柄部の先端から突出するようにし、ワンタッチで枠を柄部から取り出して環状に拡げることができる。
【発明を実施するための最良の形態】
【００２０】
以下、図面に基づき、本発明の実施形態を説明する。このたも網は、図１および図２（ａ）、（ｂ）に示すように、筒状の柄部１の先端で網２の取り付けられた環状の枠３が、先端をヒンジ４で折り畳み可能に結合された断面が扁平な一対のばね条部材３ａで形成され、その基端が柄部１の先端側から挿入されて、柄部１の内側で軸方向へ移動可能に配設された枠連結部材５の両側面に連結されており、枠連結部材５を柄部１の基端側へ移動させることにより、一対のばね条部材３ａで形成された枠３が先端で折り畳まれるようにして柄部１へ収納されるようになっている。
【００２１】
前記ばね条部材３ａを両側面に連結された枠連結部材５は、柄部１の内側に取り付けられた複数の案内ローラ６で軸方向に案内され、柄部１の基端側には、枠連結部材５を柄部１の中程まで先端側へ押し付勢し、枠連結部材５に連結された枠３を半分程度まで柄部１の先端から突出させる圧縮コイルばね７が内装されている。また、柄部１の基端側の外径面には、圧縮コイルばね７で押し付勢された枠連結部材５を、後述するスライドリング１３を介して係止する鉤部材８が取り付けられ、基端側の内径面には、延長柄を接続するためのねじ９が切られている。
【００２２】
図３（ａ）、（ｂ）に示すように、前記一対のばね条部材３ａの先端を折り畳み可能に結合するヒンジ４は、ヒンジ軸にねじりコイルばね４ａが装着され、折り畳まれたばね条部材３ａを押し拡げるように付勢するようになっている。
【００２３】
前記網２は、枠３に外嵌されてその周方向に移動可能な複数のリング１０を介して取り付けられており、後の図７に示すように、枠３が柄部１に収納されるときに、網２が各リング１０と一緒に枠３の先端側へ寄せ集められるようになっている。また、各ばね条部材３ａの基端側で枠３に外嵌された２つのリング１０は、柄部１の先端部に紐１１で係止されており、柄部１に収納された枠３が取り出されて環状に拡がるときに、枠３の先端側へ寄せ集められた網２が各リング１０と一緒に枠３の全周に自然に拡がるようになっている。なお、網２は周方向に連なっているので、枠３の基端側の１つのリング１０のみを柄部１の先端部に係止してもよい。また、リング１０なしで網２本体を枠３の周方向へ移動可能にルーズに取り付け、網２本体の枠３の基端側への取り付け部を柄部１の先端部に係止することもできる。
【００２４】
図４乃至図６に示すように、前記筒状の柄部１には軸方向に延びるスリット１２が設けられ、その外径面にスライドリング１３がスライド自在に外嵌されており、枠連結部材５はスリット１２を通してスライドリング１３に連結されている。したがって、スライドリング１３を柄部１の外径面に沿ってスライドさせることにより、枠連結部材５をスリット１２が設けられた範囲で進退させて、枠連結部材５にビス５ａで連結された枠３を柄部１の先端から出し入れすることができる。スライドリング１３には、枠連結部材５を柄部１の基端側で係止するために、鉤部材８に係止される突起１４と、枠連結部材５を柄部１の先端側で固定するために、ねじで締め付ける締め付けリング１５も設けられている。
【００２５】
図７（ａ）、（ｂ）は、前記枠連結部材５を柄部１の基端側に移動させて、枠３を柄部１に収納した状態を示す。枠連結部材５は柄部１のスリット１２の基端まで移動して、スライドリング１３の突起１４が鉤部材８で係止されており、網２はその取り付け用の各リング１０と一緒に、柄部１の先端でわずかに突出する枠３の先端側へ寄せ集められている。
【００２６】
また、前記網２の底には結束バンド１６が取り付けられており、図８に示すように、収納された枠３の先端側へ寄せ集められた網２を、柄部１に巻き付けて結束できるようになっている。
【００２７】
上述した実施形態では、枠を形成するばね条部材を断面が扁平なものとしたが、ばね条部材の断面は任意の形状とすることができる。また、枠を連結する枠連結部材の形態も実施形態のものに限定されることはなく、一対のばね条部材で形成された枠の基端に連結され、柄部の軸方向に移動可能なものであればよい。
【図面の簡単な説明】
【００２８】
【図１】たも網の実施形態を示す外観斜視図
【図２】ａは図１の横断平面図、ｂはａの縦断側面図
【図３】ａは図１の枠と網を拡大して示す平面図、ｂはａのヒンジを拡大して示す切欠き平面図
【図４】図２の柄部の先端部を拡大して示す切欠き平面図
【図５】図４の切欠き側面図
【図６】図４のVI−VI線に沿った断面図
【図７】ａは図１の枠を柄部に収納した状態を示す平面図、ｂはａの切欠き側面図
【図８】図７の網を柄部に巻き付けて結束した状態を示す平面図
【符号の説明】
【００２９】
１  柄部
２  網
３  枠
３ａ  ばね条部材
４  ヒンジ
４ａ  ねじりコイルばね
５  枠連結部材
５ａ  ビス
６  案内ローラ
７  圧縮コイルばね
８  鉤部材
９  ねじ
１０  リング
１１  紐
１２  スリット
１３  スライドリング
１４  突起
１５  締め付けリング
１６  結束バンド
【図１】
2007061043.tif 000003
【図２】
2007061043.tif 000004
【図３】
2007061043.tif 000005
【図４】
2007061043.tif 000006
【図５】
2007061043.tif 000007
【図６】
2007061043.tif 000008
【図７】
2007061043.tif 000009
【図８】
2007061043.tif 000010